(57)【要約】【課題】予期せずして、収納ケースが第１分離体と第２分離体に分離することを抑制しつつ、商品等を取り出せる状態にするために、収納ケースを第１分離体と第２分離体に分離させるときの作業性が悪くなることを抑制した収納ケースを提供する。【解決手段】本発明の厚紙又は段ボールで形成された収納ケースは、収納ケースを第１分離体と第２分離体に分離するときに操作される操作部と、操作部の操作によって収納ケースを第１分離体と第２分離体に分離可能に破断する破断部と、を備え、破断部は、第１分離体と第２分離体の境目に沿って形成された複数の切れ目線を有し、切れ目線のうちの一部の切れ目線は、第１切れ目線と第１切れ目線に隣接する第２切れ目線が組みになった切れ目線対になっており、第２切れ目線が、第２切れ目線側の第１切れ目線の一方の端部から第１切れ目線の形状に従って延長した延長線上に位置しないようにズレて設けられている。【選択図】図１
2019135167.tif 000002
【特許請求の範囲】
【請求項１】
厚紙又は段ボールで形成された収納ケースであって、
前記収納ケースを第１分離体と第２分離体に分離するときに操作される操作部と、
前記操作部の操作によって前記収納ケースを前記第１分離体と前記第２分離体に分離可能に破断する破断部と、を備え、
前記破断部は、前記第１分離体と前記第２分離体の境目に沿って形成された複数の切れ目線を有し、
前記切れ目線のうちの一部の前記切れ目線は、第１切れ目線と前記第１切れ目線に隣接する第２切れ目線が組みになった切れ目線対になっており、
前記第２切れ目線が、前記第２切れ目線側の前記第１切れ目線の一方の端部から前記第１切れ目線の形状に従って延長した延長線上に位置しないようにズレて設けられていることを特徴とする収納ケース。
【請求項２】
前記第１切れ目線は、第１方向に凸となる、くの字形状又は円弧形状を有し、
前記第２切れ目線は、前記第１方向と反対方向に凸となる、くの字形状又は円弧形状を有し、
前記第２切れ目線は、前記第１切れ目線の前記一方の端部側となる他方の端部が前記第１切れ目線の前記一方の端部よりも前記第１方向側に位置することを特徴とする請求項１に記載の収納ケース。
【請求項３】
前記第２切れ目線は、前記第１切れ目線に対して前記第１方向側にズレて設けられていることを特徴とする請求項２に記載の収納ケース。
【請求項４】
前記破断部は、前記操作部から離れるにつれて前記第１分離体の底部から離れる方向に傾斜する傾斜破断部を備え、
前記傾斜破断部は、前記操作部から離れるにつれて前記第１分離体の底部から離れる方向にズレて設けられた複数の前記切れ目線対を有していることを特徴とする請求項１から請求項３のいずれか１項に記載の収納ケース。
【請求項５】
前記第１分離体が前記収納ケースの下側の部分であり、
前記第２分離体が前記収納ケースの上側の部分であることを特徴とする請求項１から請求項４のいずれか１項に記載の収納ケース。
【発明の詳細な説明】
【技術分野】
【０００１】
本発明は収納ケースに関する。
【背景技術】
【０００２】
従来、商品等を収納する段ボール紙製の包装箱（以下、収納ケースともいう。）の側面にミシン目等の切れ目線で形成された破断線に沿って収納ケースを上下に分離できる収納ケースが知られている（特許文献１参照）。
【先行技術文献】
【特許文献】
【０００３】
【特許文献１】特開２０１４−３７２５４号公報
【発明の概要】
【発明が解決しようとする課題】
【０００４】
ところで、例えば、収納ケースを上下に分離できるように、ミシン目等の切れ目線で形成された破断線を設け、その破断線に沿って破断を行うときの破断強度は、一般に、ミシン目等の切れ目線の間の繋がり部分の長さによって決まる。
【０００５】
このため、例えば、運搬中の落下等により、予期せずして、収納ケースが上下に分離することを防ぐためには、ミシン目等の切れ目線の間の繋がり部分の長さを長くして破断強度を高めればよいことになる。
【０００６】
しかしながら、そのようにして破断強度を高めると、破断させるときに必要な力も大きくなるため、収納ケースから商品等を取り出せる状態にするために、収納ケースを上下に分離させたいときの作業性が悪くなるという問題がある。
【０００７】
本発明は、このような事情に鑑みてなされたものであり、予期せずして、収納ケースが第１分離体（例えば、収納ケースの下側の部分）と第２分離体（例えば、収納ケースの上側の部分）に分離することを抑制しつつ、収納ケースから商品等を取り出せる状態にするために、収納ケースを第１分離体と第２分離体に分離させるときの作業性が悪くなることを抑制した収納ケースを提供することを目的とする。
【課題を解決するための手段】
【０００８】
本発明は、上記目的を達成するために以下の構成によって把握される。
（１）本発明の収納ケースは、厚紙又は段ボールで形成された収納ケースであって、前記収納ケースを第１分離体と第２分離体に分離するときに操作される操作部と、前記操作部の操作によって前記収納ケースを前記第１分離体と前記第２分離体に分離可能に破断する破断部と、を備え、前記破断部は、前記第１分離体と前記第２分離体の境目に沿って形成された複数の切れ目線を有し、前記切れ目線のうちの一部の前記切れ目線は、第１切れ目線と前記第１切れ目線に隣接する第２切れ目線が組みになった切れ目線対になっており、前記第２切れ目線が、前記第２切れ目線側の前記第１切れ目線の一方の端部から前記第１切れ目線の形状に従って延長した延長線上に位置しないようにズレて設けられている。
【０００９】
（２）上記（１）の構成において、前記第１切れ目線は、第１方向に凸となる、くの字形状又は円弧形状を有し、前記第２切れ目線は、前記第１方向と反対方向に凸となる、くの字形状又は円弧形状を有し、前記第２切れ目線は、前記第１切れ目線の前記一方の端部側となる他方の端部が前記第１切れ目線の前記一方の端部よりも前記第１方向側に位置する。
【００１０】
（３）上記（２）の構成において、前記第２切れ目線は、前記第１切れ目線に対して前記第１方向側にズレて設けられている。
【００１１】
（４）上記（１）から（３）のいずれか１つの構成において、前記破断部は、前記操作部から離れるにつれて前記第１分離体の底部から離れる方向に傾斜する傾斜破断部を備え、前記傾斜破断部は、前記操作部から離れるにつれて前記第１分離体の底部から離れる方向にズレて設けられた複数の前記切れ目線対を有している。
【００１２】
（５）上記（１）から（４）のいずれか１つの構成において、前記第１分離体が前記収納ケースの下側の部分であり、前記第２分離体が前記収納ケースの上側の部分である。
【発明の効果】
【００１３】
本発明によれば、予期せずして、収納ケースが第１分離体（例えば、収納ケースの下側の部分）と第２分離体（例えば、収納ケースの上側の部分）に分離することを抑制しつつ、収納ケースから商品等を取り出せる状態にするために、収納ケースを第１分離体と第２分離体に分離させるときの作業性が悪くなることを抑制した収納ケースを提供することができる。
【図面の簡単な説明】
【００１４】
【図１】本発明に係る実施形態の収納ケースの斜視図である。
【図２】図１に示す状態に組み立てる前の収納ケースの展開図である。
【図３】図２に示す第３板部３０の周辺を拡大した図である。
【図４】図３の二点鎖線で囲まれている領域Ａを拡大した図である。
【発明を実施するための形態】
【００１５】
以下、添付図面を参照して、本発明を実施するための形態（以下、「実施形態」と称する。）について詳細に説明する。
なお、実施形態の説明の全体を通して同じ要素には同じ番号又は符号を付している。
【００１６】
図１は本発明に係る実施形態の収納ケース１の斜視図であり、後述する継しろ部２２の位置がわかるように、継しろ部２２の部分だけ透視図で描くようにしている。
また、図２は図１に示す状態に組み立てる前の収納ケース１の展開図であり、図２は収納ケース１の状態に組み立て前の板体２を示す平面図でもある。
なお、図１では、収納ケース１内に収容されている物品に関する図示は省略している。
【００１７】
図１に示すように、本実施形態の収納ケース１は、外形が直方体のケースであり、例えば、飲料を充填したボトル、パック等を複数収納するのに好適に用いることができるケースである。
【００１８】
なお、本実施形態の収納ケース１は、飲料に限らず、食料品等を詰めたパックや缶詰等を複数収納するのにも好適に用いることが可能であり、特段、収納される物品が限定されるものではない。
【００１９】
収納ケース１は、図２に示すように、厚紙又は段ボールで形成された展開状態の１枚の板体２を折り曲げ及び接着等を行うことで組み立てたものになっている。
そして、組み立て前の板体２は、図２を見るとわかるように、一対の第１外フラップ１１を有する第１板部１０と、一対の第２内フラップ２１及び継しろ部２２を有する第２板部２０と、一対の第３内フラップ３１を有する第３板部３０と、一対の第４外フラップ４１を有する第４板部４０と、が、第２板体２０、第１板体１０、第３板体３０、及び、第４板体４０の順に、一方向に並んで折り曲げ可能に繋がったものになっている。
【００２０】
具体的には、第１板部１０は、収納ケース１の底面となる下壁部１２と、下壁部１２に対して折り曲げ可能に繋がった一対の第１外フラップ１１と、を有している。
下壁部１２は、外形が長方形状になっており、長辺である対向する一対の第１辺１２Ａと、短辺である対向する一対の第２辺１２Ｂと、を有している。
そして、一対の第１外フラップ１１は、それぞれ下壁部１２に対して折り曲げ可能に、下壁部１２の対向する第２辺１２Ｂに繋がるように設けられている。
なお、第１外フラップ１１と下壁部１２との間の境目（点線参照）には、折り曲げが行いやすいように曲げ強度を弱めた折り曲げ線が形成されている。
【００２１】
また、第２板部２０は、第１板部１０の下壁部１２の一方の長辺（図２の左側の第１辺１２Ａ）に沿った収納ケース１の側壁となる第２側壁部２３と、第２側壁部２３に対して折り曲げ可能に繋がった一対の第２内フラップ２１と、第２側壁部２３に対して折り曲げ可能に繋がり、後述する第４板部４０の上壁部４２に接着剤等で上壁部４２に対して固定される継しろ部２２と、を有している。
【００２２】
第２側壁部２３は、外形が長方形状になっており、長辺である対向する一対の第１辺２３Ａと、短辺である対向する一対の第２辺２３Ｂと、を有している。
そして、第２側壁部２３は、一対の第１辺２３Ａのうち第１板部１０の下壁部１２側の第１辺２３Ａ（図２の右側の第１辺２３Ａ）が、第１板部１０の下壁部１２の一対の第１辺１２Ａのうちの一方の第１辺１２Ａ（図２の左側の第１辺１２Ａ）に対して折り曲げ可能に繋がっている。
【００２３】
また、一対の第２内フラップ２１は、それぞれ第２側壁部２３に対して折り曲げ可能に、第２側壁部２３の対向する第２辺２３Ｂに繋がるように設けられている。
さらに、継しろ部２２は、第２側壁部２３の一対の第１辺２３Ａのうち第１板部１０の下壁部１２の反対側に位置する第１辺２３Ａ（図２の左側の第１辺２３Ａ）に対して折り曲げ可能に繋がっている。
【００２４】
なお、第２側壁部２３と第１板部１０の下壁部１２との間の境目（点線参照）、第２側壁部２３と一対の第２内フラップ２１のそれぞれとの間の境目（点線参照）、及び、第２側壁部２３と継しろ部２２との間の境目（点線参照）には、折り曲げが行いやすいように曲げ強度を弱めた折り曲げ線が形成されている。
【００２５】
さらに、第３板部３０は、第１板部１０の下壁部１２の他方の長辺（図２の右側の第１辺１２Ａ）に沿った収納ケース１の側壁となる第３側壁部３２と、第３側壁部３２に対して折り曲げ可能に繋がった一対の第３内フラップ３１と、を有している。
【００２６】
第３側壁部３２は、外形が長方形状になっており、長辺である対向する一対の第１辺３２Ａと、短辺である対向する一対の第２辺３２Ｂと、を有している。
そして、第３側壁部３２は、一対の第１辺３２Ａのうち第１板部１０の下壁部１２側の第１辺３２Ａ（図２の左側の第１辺３２Ａ）が、第１板部１０の下壁部１２の一対の第１辺１２Ａのうちの他方の第１辺１２Ａ（図２の右側の第１辺１２Ａ）に対して折り曲げ可能に繋がっている。
【００２７】
また、一対の第３内フラップ３１は、それぞれ第３側壁部３２に対して折り曲げ可能に、第３側壁部３２の対向する第２辺３２Ｂに繋がるように設けられている。
なお、第３側壁部３２と第１板部１０の下壁部１２との間の境目（点線参照）、及び、第３側壁部３２と一対の第３内フラップ３１のそれぞれとの間の境目（点線参照）には、折り曲げが行いやすいように曲げ強度を弱めた折り曲げ線が形成されている。
【００２８】
そして、第４板部４０は、第１板部１０の下壁部１２に対向する収納ケース１の上面となる上壁部４２と、上壁部４２に対して折り曲げ可能に繋がった一対の第４外フラップ４１と、を有している。
上壁部４２は、外形が長方形状になっており、長辺である対向する一対の第１辺４２Ａと、短辺である対向する一対の第２辺４２と、を有している。
【００２９】
そして、上壁部４２は、一対の第１辺４２Ａのうち第３板部３０の第３側壁部３２側の第１辺４２Ａ（図２の左側の第１辺４２Ａ）が、第１板部１０の下壁部１２の反対側に位置する第３側壁部３２の第１辺３２Ａ（図２の右側の第１辺３２Ａ）に対して折り曲げ可能に繋がっている。
また、一対の第４外フラップ４１は、それぞれ上壁部４２に対して折り曲げ可能に、上壁部４２の対向する第２辺４２Ｂに繋がるように設けられている。
【００３０】
なお、上壁部４２と第３板部３０の第３側壁部３２との間の境目（点線参照）、及び、上壁部４２と一対の第４外フラップ４１のそれぞれとの間の境目（点線参照）には、折り曲げが行いやすいように曲げ強度を弱めた折り曲げ線が形成されている。
【００３１】
そして、組み立て前の板体２は、上記のような基本構成を有しているので、例えば、以下のようにして収納ケース１の状態に組み立てることができる。
まず、第１板部１０の下壁部１２側に立ち上げるように、第２板部２０の第２側壁部２３及び第３板部３０の第３側壁部３２を折り曲げる。
【００３２】
そして、第２板部２０の第２側壁部２３に対して一対の第２内フラップ２１を第１板部１０の下壁部１２の一対の第２辺１２Ｂに沿うように折り曲げるとともに、第３板部３０の第３側壁部３２に対して一対の第３内フラップ３１を第１板部１０の下壁部１２の一対の第２辺１２Ｂに沿うように折り曲げる。
【００３３】
次に、第１板部１０の一対の第１外フラップ１１を第１板部１０の下壁部１２側に立ち上げるように折り曲げて、一対の第１外フラップ１１を内側に位置する一対の第２内フラップ２１及び一対の第３内フラップ３１に対して、例えば、接着剤等で固定する。
【００３４】
ここまで組み立てると、上壁部４２が開いた状態の収納ケース１の状態になるので、例えば、飲料を充填したボトルの底面が下壁部１２側に位置するように複数のボトル（例えば、２４本のボトル）を収納ケース１に収容する。
【００３５】
そして、引き続き、第２板部２０の継しろ部２２を第２板部２０の第２側壁部２３に対して収納ケース１の内側に向けて折り曲げるとともに、その折り曲げた継しろ部２２上に重なるように、第４板部４０の上壁部４２を第３板部３０の第３側壁部３２に対して折り曲げて、継しろ部２２を上壁部４２に対して、例えば、接着剤等で固定する。
【００３６】
最後に、第４板部４０の一対の第４外フラップ４１を第４板部４０の上壁部４２に対して、収納ケース１側に折り曲げて、一対の第４外フラップ４１を内側に位置する一対の第２内フラップ２１及び一対の第３内フラップ３１に対して、例えば、接着剤等で固定すると、ボトル等を収容した収納ケース１の状態になる。
【００３７】
このようにして組み立てた収納ケース１は、図１に示すように、下壁部１２の一対の第１辺１２Ａに沿った対向する一対の側壁（第１側壁ＳＷ１、及び、第２側壁ＳＷ２）が、第２側壁部２３及び第３側壁部３２で形成されるとともに、下壁部１２の一対の第２辺１２Ｂに沿った対向する一対の側壁（第３側壁ＳＷ３、及び、第４側壁ＳＷ４）が、それぞれ第１外フラップ１１、第２内フラップ２１、第３内フラップ３１、及び、第４外フラップ４１で形成されたものになっている。
【００３８】
そして、第１外フラップ１１と第４外フラップ４１の幅（下壁部１２を下側に位置させたときの鉛直方向となる上下幅）は、第１外フラップ１１と第４外フラップ４１が接触しない程度の幅になっており、同様に、第２内フラップ２１と第３内フラップ３１の幅（下壁部１２を下側に位置させたときの水平方向となる左右幅）も、第２内フラップ２１と第３内フラップ３１が接触しない程度の幅になっている。
【００３９】
このため、図１に示すように、第３側壁ＳＷ３、及び、第４側壁ＳＷ４については、中央に内部に通じる開口ＯＰを有するとともに、下壁部１２を下側に位置させたときの上下中央側に位置する第２内フラップ２１と第３内フラップ３１の部分が見えるものとなっている。
なお、図１では、第４側壁ＳＷ４側は見えていないが、第４側壁ＳＷ４側も第３側壁ＳＷ３と同様である。
【００４０】
また、図２に示すように、第４板部４０の一対の第４外フラップ４１には、それぞれ第４外フラップ４１のほぼ中央となる位置に軽く押圧すれば開口し、手で掴むための取っ手となる取っ手部４３が形成されており、図１に示すように、収納ケース１の状態において、その取っ手部４３は、第３側壁ＳＷ３、及び、第４側壁ＳＷ４の上側（上壁部４２側）に位置している。
【００４１】
このため、収納ケース１を運搬するときには、この取っ手部４３を手で把持することができるようになっている。
なお、本実施形態では、取っ手部４３は、軽く押圧して開口させるものとしているが、必ずしも、開口しないように塞いでおく必要はなく、初めから第４板部４０の一対の第４外フラップ４１に開口した状態で形成しておいてもよい。
【００４２】
一方、収納ケース１は、図１に示すように、収納ケース１を収納ケース１の下側の部分である第１分離体１Ｌと収納ケース１の上側の部分である第２分離体１Ｕに分離するときに操作される操作部５０と、操作部５０の操作によって収納ケース１を第１分離体１Ｌと第２分離体１Ｕに分離可能に破断する破断部５１と、を備えており、以下、具体的に図３及び図４等を参照しながら説明する。
【００４３】
図３は図２に示す第３板部３０の周辺を拡大した図であり、図４は図３の二点鎖線で囲まれている領域Ａを拡大した図である。
なお、図３及び図４を主に参照して説明する操作部５０及び破断部５１は、図２に示す第２板部２０においても同様である。
したがって、以下では、第２板部２０における説明を省略するが、以下の説明における、第３側壁部３２、一対の第３内フラップ３１、及び、第２辺３２Ｂを、それぞれ第２側壁部２３、一対の第２内フラップ２１、及び、第２辺２３Ｂに置き換えるだけである。
【００４４】
図３に示すように、第３板部３０の第３側壁部３２は、第１辺３２Ａ方向で見てほぼ中央に位置し、第２辺３２Ｂ方向で見て、若干、第１板部１０の下壁部１２寄りの位置に、先ほど説明した取っ手部４３と同様の構造である操作部５０が形成されている。
【００４５】
そして、第３板部３０の第３側壁部３２には、その操作部５０の第１板部１０の下壁部１２寄りの位置から一対の第３内フラップ３１の端の位置まで、第１分離体１Ｌ（図１参照）と第２分離体１Ｕ（図１参照）の境目に沿って形成された複数の切れ目線５２を有する一対の破断部５１が設けられている。
【００４６】
この破断部５１は、操作部５０から第３内フラップ３１に至るまでの間（つまり、第３側壁部３２の部分）に形成され、操作部５０から離れて第３内フラップ３１に近づくにつれて、第１分離体１Ｌ（図１参照）の底部である下壁部１２から離れる方向に傾斜する傾斜破断部５１Ａを備えている。
なお、傾斜破断部５１Ａは、操作部５０側から第３内フラップ３１の第２辺３２Ｂのほぼ中央の位置に至るように設けられている。
【００４７】
また、破断部５１は、一対の第３内フラップ３１に形成され、第２辺３２Ｂにほぼ直交する方向に延在する直線破断部５１Ｂも備えており、直線破断部５１Ｂは、図１に示すように、第３内フラップ３１の第１外フラップ１１及び第４外フラップ４１に重ならない部分に位置している。
なお、この直線破断部５１Ｂは、図１を見るとわかるように、下壁部１２を下側に位置させたときに水平方向に第２辺３２Ｂ（図２参照）側から第３内フラップ３１の端の位置まで延在しているので水平破断部という場合もある。
【００４８】
ここで、傾斜破断部５１Ａが有している複数の切れ目線５２に着目すると、同一形状の切れ目線５２が並んで配置されているわけではない。
具体的には、図４に示すように、傾斜破断部５１Ａは、収納ケース１（図１参照）の状態のときに、上壁部４２側（図４の上側）となる第１方向に凸の円弧形状の第１切れ目線５２ＡＡと、第１切れ目線５２ＡＡに隣接し、収納ケース１の状態のときに、下壁部１２（図４の下側）となる第１方向と反対方向に凸の円弧形状の第２切れ目線５２ＡＢと、が組みになった切れ目線対５２Ａが複数設けられたものになっている。
【００４９】
この傾斜破断部５１Ａが有する切れ目線対５２Ａは、操作部５０（図１参照）から離れるにつれて、つまり、図４の左から右側に向かうにつれて、第１分離体１Ｌ（図１参照）の底部である下壁部１２から離れる方向（図４の上側）にズレて設けられたものになっている。
【００５０】
そして、切れ目線対５２Ａは、第２切れ目線５２ＡＢが、第２切れ目線５２ＡＢ側の第１切れ目線５２ＡＡの一方の端部Ｐ１から第１切れ目線５２ＡＡの円弧形状に従って延長した延長線Ｌ１上に位置しないようにズレて設けられている。
【００５１】
具体的には、第２切れ目線５２ＡＢは、全体的に、第１切れ目線５２ＡＡに対して収納ケース１（図１参照）の状態のときに、上壁部４２側（図４の上側）となる第１方向にズレて設けられており、第２切れ目線５２ＡＢは、第１切れ目線５２ＡＡの一方の端部Ｐ１側となる他方の端部Ｐ２が第１切れ目線５２ＡＡの一方の端部Ｐ１よりも第１方向側に位置するように設けられている。
【００５２】
そして、例えば、収納ケース１を運搬しているときに、収納ケース１が落下したような場合には、切れ目線５２の端部から切れ目線５２の形状に沿った方向に切れ目が進展する。
つまり、第１切れ目線５２ＡＡは、一方の端部Ｐ１から第１切れ目線５２ＡＡの円弧形状に従って延長した延長線Ｌ１の方向に切れ目が進展し、第２切れ目線５２ＡＢは、他方の端部Ｐ２から第２切れ目線５２ＡＢの円弧形状に従って延長した延長線Ｌ２の方向に切れ目が進展しやすい。
【００５３】
このため、破断部５１の切れ目線５２のうちの少なくとも一部の切れ目線５２が、第１切れ目線５２ＡＡ及び第２切れ目線５２ＡＢとされ、破断部５１が上述のような切れ目線対５２Ａを有するものになっていると、収納ケース１が落下したような衝撃では、第１切れ目線５２ＡＡと第２切れ目線５２ＡＢが繋がるような切れ目の進展が起り難く、予期せずして、収納ケース１が第１分離体１Ｌと第２分離体１Ｕに分離することを抑制することができる。
【００５４】
一方で、操作部５０（図１参照）を手で掴んで収納ケース１（図１参照）を第１分離体１Ｌ（図１参照）と第２分離体１Ｕ（図１参照）に分離する操作を行う場合には、その操作力が図４に示す第１切れ目線５２ＡＡの一方の端部Ｐ１から第２切れ目線５２ＡＢに向かう方に力が掛かりやすい。
【００５５】
このため、大きな力を加えなくても、第１切れ目線５２ＡＡと第２切れ目線５２ＡＢが繋がるような切れ目の進展が起り、収納ケース１（図１参照）を第１分離体１Ｌ（図１参照）と第２分離体１Ｕ（図１参照）に分離させるときの作業性が悪くなることを抑制することができる。
【００５６】
さらに、本実施形態では、図２に示すように、操作部５０を操作したときに、第１切れ目線５２ＡＡと第２切れ目線５２ＡＢが繋がるような切れ目の進展が起りやすいように、第２板部２０の第２側壁部２３及び第３板部３０の第３側壁部３２に変形誘導線ＧＬを設けるようにしている。
なお、この変形誘導線ＧＬは、この線上に沿って変形が起りやすいように曲げ強度を弱めた部分であり、先に説明した折り曲げ線と類似である。
【００５７】
具体的には、変形誘導線ＧＬは、第１板部１０の第１辺１２Ａに沿った方向で操作部５０よりも外側（一対の第２内フラップ２１及び一対の第３内フラップ３１側）であって、第１板部１０の第１辺１２Ａから離れる方向で見たときに、直線破断部５１Ｂ（図１参照）と同程度の位置を起点とし、その起点から第１板部１０の第１辺１２Ａに沿った方向で操作部５０から離れるに従って、収納ケース１（図１参照）の状態のときに、上壁部４２に近づくように斜め方向に延在している。
【００５８】
このような変形誘導線ＧＬを設けておくと、破断部５１を破断させるように操作部５０を収納ケース１から離れる外側に引っ張ったときに、図４に示した第１切れ目線５２ＡＡの一方の端部Ｐ１から第２切れ目線５２ＡＢの方向に切れ目が進展する応力が掛かりやすいように、第２側壁部２３（図２参照）及び第３側壁部３２（図２参照）の第２分離体１Ｕ（図１参照）側の部分が収納ケース１から離れる外側に変形しやすくなる。
このため、より一層、収納ケース１（図１参照）を第１分離体１Ｌ（図１参照）と第２分離体１Ｕ（図１参照）に分離させるときの作業性がよくなる。
【００５９】
そして、本実施形態の収納ケース１によれば、第１分離体１Ｌ（図１参照）と第２分離体１Ｕ（図１参照）に分離させることができるため、第２分離体１Ｕ（図１参照）を取り除き、第１分離体１Ｌ（図１参照）内に、飲料を充填したボトル等を収容した状態で、そのまま店舗に陳列することができ、陳列に必要な手間を省くことができる。
【００６０】
以上、具体的な実施形態を基に本発明の説明を行ってきたが、本発明は、上記実施形態に限定されるものではない。
上記実施形態では、第１切れ目線５２ＡＡ及び第２切れ目線５２ＡＢは、円弧形状を有するものになっていたが、例えば、くの字形状等の他の形状であってもよく、第２切れ目線５２ＡＢが、第２切れ目線５２ＡＢ側の第１切れ目線５２ＡＡの一方の端部Ｐ１から第１切れ目線５２ＡＡの形状に従って延長した延長線上に位置しないようにズレて設けられていればよい。
【００６１】
また、上記実施形態では、図４に示すように、切れ目線対５２Ａにおいて、第１切れ目線５２ＡＡの一方の端部Ｐ１と、第１切れ目線５２ＡＡの一方の端部Ｐ１側となる第２切れ目線５２ＡＢの他方の端部Ｐ２と、は、第１切れ目線５２ＡＡと第２切れ目線５２ＡＢの並び方向（図４の左右方向）で見て、重ならないように、若干、離間するようになっているが、逆に、若干、重なるようになっていてもよい。
【００６２】
さらに、第１切れ目線５２ＡＡの一方の端部Ｐ１と、第１切れ目線５２ＡＡの一方の端部Ｐ１側となる第２切れ目線５２ＡＢの他方の端部Ｐ２と、の間の距離を調節して、操作部５０を操作して、収納ケース１（図１参照）を第１分離体１Ｌ（図１参照）と第２分離体１Ｕ（図１参照）に分離させるときの破断強度が適切になるように適宜調整してもよい。
【００６３】
また、収納ケース１は、先にも触れた通り、特段、収納される物品が限定されるものではない。
しかしながら、収納ケース１（図１参照）が、予期せずして、第１分離体１Ｌ（図１参照）と第２分離体１Ｕ（図１参照）に分離する事態は、収納されている物品の重量が重い場合に起こりやすいため、飲料を充填したボトル、缶、パック等を収容する飲料用の収納ケースとして、特に、好適である。
【００６４】
このように本発明は、具体的な実施形態に限定されるものではなく、技術的思想を逸脱することのない変更や改良を行ったものも発明の技術的範囲に含まれるものであり、そのことは当業者にとって特許請求の範囲の記載から明らかである。
【符号の説明】
【００６５】
１  収納ケース
１Ｌ  第１分離体
１Ｕ  第２分離体
２  板体
１０  第１板部
１１  第１外フラップ
１２  下壁部
２０  第２板部
２１  第２内フラップ
２２  継しろ部
２３  第２側壁部
３０  第３板部
３１  第３内フラップ
３２  第３側壁部
４０  第４板部
４１  第４外フラップ
４２  上壁部
４３  取っ手部
５０  操作部
５１  破断部
５１Ａ  傾斜破断部
５１Ｂ  直線破断部
５２  切れ目線
５２Ａ  切れ目線対
５２ＡＡ  第１切れ目線
５２ＡＢ  第２切れ目線
ＧＬ  変形誘導線
Ｌ１、Ｌ２  延長線
ＯＰ  開口
Ｐ１、Ｐ２  端部
ＳＷ１  第１側壁
ＳＷ２  第２側壁
ＳＷ３  第３側壁
ＳＷ４  第４側壁
【図１】
2019135167.tif 000003
【図２】
2019135167.tif 000004
【図３】
2019135167.tif 000005
【図４】
2019135167.tif 000006